(57)【要約】【課題】上部にハンガー掛けパイプを備える収納クローゼット等の収納スペースにおいて、下部の収納性能を向上しながら、上部のハンガー掛けパイプに丈の長い衣類を掛けられるようにする。【解決手段】上部にハンガー掛けパイプ４を備える収納スペース（収納クローゼット１）において、ハンガー掛けパイプ４の下方位置に出し入れ自在で、前面及び上面が開放された収納ワゴン５を備える。この収納ワゴン５は、上面開放部にハンガー掛けパイプ５２が備えられている。このハンガー掛けパイプ５２は、上部のハンガー掛けパイプ４の位置に対し奥方に位置する。また、上部のハンガー掛けパイプ４の奥方位置に、壁面に取付けられた収納棚２を備える。【選択図】図２
2005261580.tif 000002
【特許請求の範囲】
【請求項１】
上部にハンガー掛けパイプを備える収納スペースにおいて、
前記ハンガー掛けパイプの下方位置に、前面及び上面が開放された収納ワゴンが出し入れ自在に組み込まれることを特徴とする収納システム。
【請求項２】
前記収納ワゴンは、上面開放部にハンガー掛けパイプを備えていることを特徴とする請求項１に記載の収納システム。
【請求項３】
前記上部のハンガー掛けパイプの奥方位置に収納棚が配置されていることを特徴とする請求項１または２に記載の収納システム。
【請求項４】
前記上部のハンガー掛けパイプの位置に対し、前記収納ワゴンの上面開放部のハンガー掛けパイプが奥方に位置することを特徴とする請求項２または３に記載の収納システム。
【請求項５】
前記収納棚の下方位置に、前記収納ワゴンの横に並べて引き出しワゴンが出し入れ自在に組み込まれることを特徴とする請求項３または４に記載の収納システム。
【請求項６】
上部にハンガー掛けパイプを備える収納クローゼットにおいて、
前記ハンガー掛けパイプの下方位置に出し入れ自在で、前面及び上面が開放された収納ワゴンを備えることを特徴とする収納クローゼット。
【請求項７】
前記収納ワゴンの上面開放部にハンガー掛けパイプが備えられていることを特徴とする請求項６に記載の収納クローゼット。
【請求項８】
前記上部のハンガー掛けパイプの奥方位置に、壁面に取付けられた収納棚を備えることを特徴とする請求項５または６に記載の収納クローゼット。
【請求項９】
前記上部のハンガー掛けパイプの位置に対し、前記収納ワゴンの上面開放部のハンガー掛けパイプが奥方に位置することを特徴とする請求項７または８に記載の収納クローゼット。
【請求項１０】
前記収納棚の下方位置に出し入れ自在で、前記収納ワゴンの横に並べて配置可能な引き出しワゴンを備えることを特徴とする請求項８または９に記載の収納クローゼット。
【請求項１１】
走行自在な収納ワゴンであって、
前面及び上面が開放されていることを特徴とする収納ワゴン。
【請求項１２】
上面開放部にハンガー掛けパイプを備えることを特徴とする請求項１１に記載の収納ワゴン。
【発明の詳細な説明】
【技術分野】
【０００１】
本発明は、上部に備えられるハンガー掛けパイプの下方位置のスペースを有効利用した収納システム及び収納クローゼットと、それに用いる収納ワゴンに関する。
【背景技術】
【０００２】
室内の収納空間、特に棚やハンガー掛けパイプを架設する収納クローゼットにおいて、棚やハンガー掛けパイプの下方に引き出しや前面開放の収納ボックスを組み込んだものがある（例えば特許文献１、２参照）。
【特許文献１】特開２００３−１１６６４４号公報
【特許文献２】特開２００１−１６１４６３号公報
【発明の開示】
【発明が解決しようとする課題】
【０００３】
しかし、ハンガー掛けパイプの下方に引き出しや収納ボックスを組み込んだ場合、ロングドレスやコートなど丈の長い衣類は、引き出しや収納ボックスが邪魔になってハンガー掛けパイプに掛けられない不都合があった。
【０００４】
本発明の課題は、上部にハンガー掛けパイプを備える収納クローゼット等の収納スペースにおいて、下部の収納性能を向上しながら、上部のハンガー掛けパイプに丈の長い衣類を掛けられるようにすることである。
【課題を解決するための手段】
【０００５】
以上の課題を解決するため、請求項１に記載の発明は、上部にハンガー掛けパイプを備える収納スペースにおいて、前記ハンガー掛けパイプの下方位置に、前面及び上面が開放された収納ワゴンが出し入れ自在に組み込まれることを特徴とする。
【０００６】
請求項６に記載の発明は、例えば図１から図３に示すように、上部にハンガー掛けパイプ４を備える収納クローゼット１において、前記ハンガー掛けパイプ４の下方位置に出し入れ自在で、前面及び上面が開放された収納ワゴン５を備えることを特徴とする。
【０００７】
請求項１または６に記載の発明によれば、上部ハンガー掛けパイプの下方に、前面及び上面開放の収納ワゴンが位置するので、その前面開放の収納ワゴンの使用により収納スペースや収納クローゼット下部の収納性能が向上する。
そして、上部ハンガー掛けパイプに丈の長い衣類を掛けても、その丈の長い衣類の下部が上面開放部から収納ワゴン内に収まるため、丈の長い衣類を上部ハンガー掛けパイプに掛けて収納できる。
【０００８】
請求項２に記載の発明は、請求項１に記載の収納システムであって、前記収納ワゴンは、上面開放部にハンガー掛けパイプを備えていることを特徴とする。
【０００９】
請求項７に記載の発明は、請求項６に記載の収納クローゼットであって、例えば図１から図３に示すように、前記収納ワゴン５の上面開放部にハンガー掛けパイプ５２が備えられていることを特徴とする。
【００１０】
請求項２または７に記載の発明によれば、上面開放部にハンガー掛けパイプを備える収納ワゴンなので、収納スペースや収納クローゼットの下部に配置した状態において、上面開放部のハンガー掛けパイプに衣服を掛けて収納ワゴン内に収納できる。
【００１１】
請求項３に記載の発明は、請求項１または２に記載の収納システムであって、前記上部のハンガー掛けパイプの奥方位置に収納棚が配置されていることを特徴とする。
【００１２】
請求項８に記載の発明は、請求項５または６に記載の収納クローゼットであって、例えば図１及び図２に示すように、前記上部のハンガー掛けパイプ４の奥方位置に、壁面に取付けられた収納棚２を備えることを特徴とする。
【００１３】
請求項３または８に記載の発明によれば、上部ハンガー掛けパイプの奥方に位置する、例えば壁面に取付ける等による収納棚なので、収納スペースや収納クローゼットの上部ハンガー掛けパイプに掛けた衣類の背面において、収納棚に畳んだ衣類等を収納できる。
【００１４】
請求項４に記載の発明は、請求項２または３に記載の収納システムであって、前記上部のハンガー掛けパイプの位置に対し、前記収納ワゴンの上面開放部のハンガー掛けパイプが奥方に位置することを特徴とする。
【００１５】
請求項９に記載の発明は、請求項７または８に記載の収納クローゼットであって、例えば図２に示すように、前記上部のハンガー掛けパイプ４の位置に対し、前記収納ワゴン５の上面開放部のハンガー掛けパイプ５２が奥方に位置することを特徴とする。
【００１６】
請求項４または９に記載の発明によれば、上部ハンガー掛けパイプの位置に対し、収納ワゴン上面開放部のハンガー掛けパイプが奥方に位置することで、上部ハンガー掛けパイプに掛けた丈の長い衣類の下部を、上面開放部のハンガー掛けパイプと干渉させずに収納ワゴン内に収納できる。
【００１７】
請求項５に記載の発明は、請求項３または４に記載の収納システムであって、前記収納棚の下方位置に、前記収納ワゴンの横に並べて引き出しワゴンが出し入れ自在に組み込まれることを特徴とする。
【００１８】
請求項１０に記載の発明は、請求項８または９に記載の収納クローゼットであって、例えば図１及び図２に示すように、前記収納棚２の下方位置に出し入れ自在で、前記収納ワゴン５の横に並べて配置可能な引き出しワゴン６を備えることを特徴とする。
【００１９】
請求項５または１０に記載の発明によれば、収納ワゴンの横に引き出しワゴンを並べておけるので、その引き出しワゴンの使用により収納スペースや収納クローゼット下部の収納性能がさらに向上する。
【００２０】
請求項１１に記載の発明は、例えば図３に示すように、走行自在な収納ワゴン５であって、前面及び上面が開放されていることを特徴とする。
【００２１】
このように、前面及び上面が開放された収納ワゴンなので、例えば収納スペースや収納クローゼットに使用すれば、請求項１または６に記載の発明と同様の作用効果が得られる。
【００２２】
請求項１２に記載の発明は、請求項１１に記載の収納ワゴンであって、例えば図３に示すように、上面開放部にハンガー掛けパイプ５２を備えることを特徴とする。
【００２３】
このように、上面開放部にハンガー掛けパイプを備える収納ワゴンなので、例えば収納スペースや収納クローゼットに使用すれば、請求項２または７に記載の発明と同様の作用効果が得られる。
【発明の効果】
【００２４】
本発明によれば、上部ハンガー掛けパイプの下方に位置する、前面及び上面開放の収納ワゴンによって、収納スペースや収納クローゼット下部の収納性能を向上できるとともに、上部ハンガー掛けパイプに丈の長い衣類を掛けて、その丈の長い衣類の下部を上面開放部から収納ワゴン内に収納できるといった利点が得られる。
そして、収納ワゴンの上面開放部にハンガー掛けパイプを備えておけば、収納スペースや収納クローゼットの下部に配置した状態において、上面開放部のハンガー掛けパイプに衣服を掛けて収納ワゴン内に収納できる利点がある。
また、例えば壁面に取付ける等して、上部ハンガー掛けパイプの奥方位置に収納棚を備えておけば、収納スペースや収納クローゼットの上部ハンガー掛けパイプに掛けた衣類の背面において、収納棚に畳んだ衣類等を収納できる利点がある。
さらに、上部ハンガー掛けパイプの位置に対し、収納ワゴン上面開放部のハンガー掛けパイプを奥方に位置させておけば、上部ハンガー掛けパイプに掛けた丈の長い衣類の下部を、上面開放部のハンガー掛けパイプと干渉させずに収納ワゴン内に収納できる利点がある。
【発明を実施するための最良の形態】
【００２５】
以下、図を参照して本発明を実施するための最良の形態を詳細に説明する。
本発明を適用した一実施形態の収納クローゼット内部を示した図１及び図２において、１は収納クローゼット、２は収納棚、３はブラケット、４はハンガー掛けパイプ、５は収納ワゴン、６は引き出しワゴンである。
【００２６】
収納クローゼット１は、例えば幅１６６０〜１７００ｍｍ、高さ２１００〜２２００ｍｍ、奥行き９１０ｍｍ程度の寸法で、奥方の壁面には、高さ１１３０ｍｍの位置から上に全幅にわたる収納棚２が取付けられている。収納棚２は、例えば高さ８５５ｍｍ、奥行き３００ｍｍで、図示のように、上下２段で左右４つに仕切られており、その天板と収納クローゼット１の天井との間に空間が確保されている。
この収納棚２には、左右の側板の前面上部にブラケット３が備えられており、その左右のブラケット３の間にハンガー掛けパイプ４が掛け渡されている。
【００２７】
このような収納棚２及びハンガー掛けパイプ４の下方位置には、図示のように、横に並べて収納ワゴン５及び引き出しワゴン６が出し入れ自在となっている。これら収納ワゴン５及び引き出しワゴン６は、例えば幅８３０ｍｍ、高さ１１００ｍｍ、奥行き６００ｍｍ程度の寸法である。
【００２８】
収納ワゴン５は、下面の四隅にキャスター５１を備え、図３にも示したように、前面及び上面が開放されていて、その上面開放部には、左右の側板の上部間にハンガー掛けパイプ５２が掛け渡されて位置している。このハンガー掛けパイプ５２は、図２に示されるように、収納クローゼット１の下部に収納した状態において、上方の収納棚２の突出寸法より少なくとも手前側に位置するものである。
図示例において、収納ワゴン５は、上面開放部のハンガー掛けパイプ５２よりも奥方に１段低い天板５３を備えて、前面開放部には、左右の側板の下部間に振れ止め棒５４が掛け渡されて位置している。
【００２９】
引き出しワゴン６は、下面の四隅にキャスター６１を備えて、上下４段の引き出し６２が組み込まれている。
【００３０】
以上のように、収納クローゼット１において、上部の収納棚２及びハンガー掛けパイプ４の下方位置に収納ワゴン５及び引き出しワゴン６が横に並べて出し入れ自在な収納システムによれば、先ず、上部のハンガー掛けパイプ４に掛けた衣類の背面において、収納棚２に畳んだ衣類等を収納できる。
また、収納クローゼット１の下部においては、横に並んだ前面開放の収納ワゴン５及び引き出しワゴン６の使用により収納性能を格段に向上できる。
【００３１】
そして、図２に示したように、上部のハンガー掛けパイプ４に丈の長い衣類（図示例ではロングドレス）Ｌを掛けた場合、その丈の長い衣類Ｌの下部は、上面開放部から収納ワゴン５に収まるため、丈の長い衣類Ｌを上部のハンガー掛けパイプ４に掛けて収納できる。
すなわち、収納ワゴン５には、図示のように、上面開放部のハンガー掛けパイプ５２に衣服を掛けて収納できることに加え、そのハンガー掛けパイプ５２が上方のハンガー掛けパイプ４の位置に対し奥方に位置しているため、上方のハンガー掛けパイプ４に掛けた丈の長い衣類Ｌの下部を、上面開放部のハンガー掛けパイプ５２と干渉させずにその手前側で収納ワゴン５に収納できる。
【００３２】
次に、図４は上方のハンガー掛けパイプ４の高さ調整構造例を示したもので、図示のように、収納棚２には、左右の側板の前面にブラケット保持穴２３を上下方向にわたって多数設けておき、その任意高さのブラケット保持穴２３に、ハンガー掛けパイプ４を掛け渡すブラケット３を挿入係止するようにしても良い。なお、ブラケット保持穴２３を収納棚２の間仕切り板の前面に設けておいて、収納クローゼット１の幅方向において高さ位置が異なる複数本のハンガー掛けパイプを掛け渡すようにしても良い。
【００３３】
次に、図５は収納クローゼット１への異なる配置例を示したもので、このように、下部に横に並べて配置する収納ワゴン５と引き出しワゴン６の位置を図１と左右逆にしても良い。
以上の収納ワゴン５及び引き出しワゴン６を複数セット用意しておけば、衣類を例えば冬物と夏物との入れ替えに応じて、使用しない衣類を収納した収納ワゴン５及び引き出しワゴン６を、図６に示したような収納室７に収納しておける。この収納室７は例えば高さ１２００ｍｍ程度あれば良い。
【００３４】
なお、以上の実施形態においては、収納クローゼットとしたが、本発明はこれに限定されるものではなく、衣装部屋等の収納スペースであっても良い。
また、実施形態では、収納ワゴンにおいて、上面開放部のハンガー掛けパイプより奥方部に天板を設けたが、天板はなくても良い。
さらに、その他、具体的な細部構造等についても適宜に変更可能であることは勿論である。
【図面の簡単な説明】
【００３５】
【図１】本発明を適用した一実施形態の構成を示すもので、収納クローゼットの内部を示した正面図である。
【図２】図１の収納クローゼット内部の側面図である。
【図３】図１の収納ワゴンを示した斜視図である。
【図４】上部ハンガー掛けパイプの高さ調整構造例を示した斜視図である。
【図５】収納クローゼットへの異なる配置例を示した概略斜視図である。
【図６】他の収納室への収納ワゴン及び引き出しワゴンの配置状態を示した概略斜視図である。
【符号の説明】
【００３６】
１  収納クローゼット
２  収納棚
２３  ブラケット保持穴
３  ブラケット
４  ハンガー掛けパイプ
５  収納ワゴン
５１  キャスター
５２  ハンガー掛けパイプ
５３  天板
５４  振れ止め棒
６  引き出しワゴン
６１  キャスター
６２  引き出し
【図１】
2005261580.tif 000003
【図２】
2005261580.tif 000004
【図３】
2005261580.tif 000005
【図４】
2005261580.tif 000006
【図５】
2005261580.tif 000007
【図６】
2005261580.tif 000008